(57)【要約】【課題】簡単な設置作業により、しかも、汎用性に富んだ表面特殊加工の長尺シートを用いて、蛇の送電鉄塔および電柱の登はんを防止し、蛇の送電線および変圧器への接触による地絡事故防止対策を施すことが可能な蛇昇塔防止シート、及び設置方法を提供する。【解決手段】表面に半円球上の突起を有する蛇昇塔防止シート７を、アングルで構成された送電鉄塔では、塔柱１の長手方向の所定範囲内にあるアングルの短手方向（幅方向）の両端部および折曲部分の所定幅を覆うように蛇昇塔防止シート７を設置する。電柱では、電柱の母線上の直近上下間の昇降金具を結ぶ線分の左右へ略平行に、蛇昇塔防止シート７を設置し、場合によって、電柱の中心線に対して当該母線の反対母線上に所定幅の蛇昇塔防止シート７を設置することにより、蛇が塔柱または電柱に身体を支持できなくさせることによって、蛇の送電鉄塔または電柱への登はんを防止し、地絡事故対策を施す。【選択図】図１４
2008154461.tif 000002
【特許請求の範囲】
【請求項１】
断面Ｌ字型の塔柱を有する送電鉄塔に対する蛇昇塔防止シートの貼付方法であって、
前記蛇昇塔防止シートは、表面に半球状の突起を有しており、
前記塔柱の長手方向に関する所定範囲において、当該塔柱の幅方向の両端部、および、折曲部分の山側部に蛇昇塔防止シートを貼付することを特徴とする、蛇昇塔防止シートの貼付方法。
【請求項２】
前記送電鉄塔は、地面に接続される複数の主塔柱と、当該複数の主塔柱を接続する補助塔柱とを有し、
少なくとも前記主塔柱の前記所定範囲に前記蛇昇塔防止シートを貼付することを特徴とする、請求項１に記載の貼付方法。
【請求項３】
前記送電鉄塔は、地面に接続される複数の主塔柱と、折曲部分の山側が谷側に対して上になるように設置され、当該複数の主塔柱を接続する補助塔柱とを有し、
少なくとも前記補助塔柱の前記所定範囲に前記蛇昇塔防止シートを貼付することを特徴とする、請求項２に記載の貼付方法。
【請求項４】
断面Ｌ字型の塔柱を有する送電鉄塔に対する蛇昇塔防止シートの貼付方法であって、
前記蛇昇塔防止シートは、表面に半球状の突起を有しており、
折曲部分の山側が谷側に対して下になるように設置される塔柱の長手方向に関する所定範囲において、当該塔柱の幅方向の両端部、および、折曲部分の谷側部に蛇昇塔防止シートを貼付することを特徴とする、蛇昇塔防止シートの貼付方法。
【請求項５】
円柱形状の塔柱を有する送電鉄塔に対する蛇昇塔防止シートの貼付方法であって、
前記蛇昇塔防止シートは、表面に半球状の突起を有しており、
地面に対して鉛直上向き方向よりも傾いて設置される塔柱の長手方向に関する所定範囲において、当該塔柱の上方部分および側方部分に蛇昇塔防止シートを貼付することを特徴とする、蛇昇塔防止シートの貼付方法。
【請求項６】
円柱形状の塔柱に対する蛇昇塔防止シートの貼付方法であって、
前記蛇昇塔防止シートは、表面に半球状の突起を有しており、
前記塔柱の１本の母線上には複数の昇降金具が取り付けられており、
直近するいずれか２つの昇降金具を結ぶ線分の両側に前記蛇昇塔防止シートを貼付することを特徴とする、蛇昇塔防止シートの貼付方法。
【請求項７】
前記所定範囲において、塔柱の中心軸に対して前記線分の反対側の側面にさらに蛇昇塔防止シートを貼付することを特徴とする、請求項６に記載の蛇昇塔防止シートの貼付方法。
【請求項８】
前記蛇昇塔防止シートの接着面には、複数に分割された離型紙が接着されており、
前記複数の離型紙のうちの一部を剥離する工程と、剥離することによって露出した接着面を前記塔柱に接着する工程とを繰り返すことによって前記蛇昇塔防止シートを貼付する、請求項１から請求項７のいずれかに記載の貼付方法。
【発明の詳細な説明】
【技術分野】
【０００１】
本発明は、蛇が、送電鉄塔を構成するアングル材、パイプ材および円柱状の塔柱（電柱）を登はんし、送電線および変圧器への接触による地絡、短絡から発生する送電事故を防止する部材および部材の取付工法に関する。
【背景技術】
【０００２】
発電所で作られた電気は、変電所等を経て高電圧で送電線によって供給され、送電線を支持する送電鉄塔が各所に設置されている。送電鉄塔によって支持された送電線は、細分化され、以後は電柱によって支持され、所定地に送られている。図２４に示すように、送電線３５と送電鉄塔３０は、碍子３１を介在して接合されている。碍子３１は、絶縁体であり、送電線３５から送電鉄塔３０への電気の流れを防止している。また、送電線３５と送電鉄塔３０間には、送電システムにかかる異常な高電圧から電気機器を守るためのアークホーンが設置されている。アークホーンの形態は、２本の棒状の導体で構成されている。アークホーン３２ならびにアークホーン３３は、碍子３１と平行して伸び、２本のアークホーン間には空間が形成されている。送電線３５と碍子３１の連結部３４から伸びるアークホーン３２側は、通電している。そのために、蛇が、送電鉄塔３０の頂上付近まで昇塔し、送電鉄塔３０から送電線３５へと伝っていく際に、送電システムに障害をもたらす。図２５に示すように、蛇３６が双方のアークホーンに同時に触れた場合、蛇３６が伝導体となり、アークホーン３２からアークホーン３３へ電気が流れこみ、送電鉄塔３０に伝わり、送電システムの電気の流れに異常をきたす。また、長年にわたり風、雨、雪等に晒される送電線３５と碍子３１の連結部３４は、絶縁体部が劣化し送電部材が外気に触れる可能性を有する。外気に送電部材が表れた連結部３４を蛇３７が通過すると、蛇３７は地絡することとなり、これによって電気の流れに異常をきたす。また、電柱には、高電圧を降圧する変圧器が電柱の頂上部に設置されており、蛇が電柱に登はんし、変圧器の漏電部分に接触して地絡することによっても電気の流れに異常をきたす。上記のような異常を送電システムが感知すると、変電所のしゃだん器がオフとなり停電を惹き起こすこととなる。蛇による送電事故は、他の事故原因と比較しても、発生する比率が高い事故原因の１つであり、従来から適当な対策・措置を講じる必要が指摘されていた。
【０００３】
そこで、送電鉄塔および電柱への蛇の登はんを防止するための蛇の昇り防止具が考えられている（例えば、特許文献１）。特許文献１に記載の昇り防止具は、円柱状の空洞からなる部材の一方端部に末広状に形成させた構成である。この昇り防止具は、長手方向に２等分に分裂させ、その間に送電鉄塔のアングル材を挟み込むことで設置される。アングル材に設置された昇り防止具は、一方端部の末広状に広がった傘部が地面方向に配置されているため、地面からアングル材を昇塔する蛇は、傘部を乗り越えることができず、昇塔を防止することができる。
【０００４】
また、電柱などの円柱構造材に係る蛇の登はん防止装置においては、網素材を末広状に円柱構造材に巻きつけ、蛇の登はんを防止する技術が開示されている（特許文献２）。上記特許文献２で開示された蛇登はん防止装置は、網素材を地面に向かい末広状に電柱に巻きつけ傘部を形成させている。これにより、電柱を登はんする蛇は、この傘部を乗り越えることができず、蛇の登はんを防止するものである。
【特許文献１】特開２００１−３０９５３２号公報
【特許文献２】特開平８−３０８４６２号公報
【発明の開示】
【発明が解決しようとする課題】
【０００５】
しかしながら、特許文献１ならびに特許文献２に係る技術は、いずれも傘状の部材を鉄塔や電柱に取り付けるものである。傘状の部材は風の影響を受けやすく、強風によって傘状の部材が損傷を受けたり、外れてしまったりする可能性が高い。したがって、特許文献１ならびに特許文献２に係る技術では、長期信頼性の点において問題がある。
【０００６】
本発明は、このような事情に鑑みなされたものであり、長期にわたって安定した蛇登はん防止効果を発揮でき、地絡防止対策を施すことを目的とする。
【課題を解決するための手段】
【０００７】
上記のような目的を達成するために、本発明は、以下に示すような特徴を有している。
第１の発明は、断面Ｌ字型の塔柱を有する送電鉄塔に対する蛇昇塔防止シートの貼付方法に係る蛇の送電鉄塔昇塔防止方法である。本発明に用いられる蛇昇塔防止シートは、表面に半球状の突起を有している。具体的な蛇昇塔防止シートの貼付方法は、送電鉄塔の塔柱の長手方向に関する所定範囲に、当該塔柱の幅方向の両端部、および、折曲部分の山側部に蛇昇塔防止シートを貼付することを特徴とする蛇昇塔防止シートの貼付方法である。
【０００８】
第２の発明は、一般的に送電鉄塔は、地面に接続される複数の主塔柱と、当該複数の主塔柱間を接続する補助塔柱とを有している。そこで、本発明は、少なくとも主塔柱の所定範囲に、主塔柱の幅方向の両端部、および、折曲部分の山側部に蛇昇塔防止シートを貼付することを特徴とする蛇昇塔防止シートの貼付方法である。
【０００９】
第３の発明は、地面に接続される複数の主塔柱と、折曲部分の山側が谷側に対して上になるように設置され、当該複数の主塔柱間を接続する補助塔柱とを有している送電鉄塔構造において、少なくとも補助塔柱の所定範囲に、補助塔柱の幅方向の両端部、および、折曲部分の山側部に蛇昇塔防止シートを貼付することを特徴とする蛇昇塔防止シートの貼付方法である。
【００１０】
第４の発明は、折曲部分の山側が谷側に対して下になるように設置されている送電鉄塔構造において、補助塔柱の長手方向に関する所定範囲に、当該補助塔柱の幅方向の両端部および、折曲部分の谷側部に蛇昇塔防止シートを貼付することを特徴とする蛇昇塔防止シートの貼付方法である。
【００１１】
第５の発明は、円柱形状の塔柱を有する送電鉄塔に対する蛇昇塔防止シートの貼付方法である。本発明に係る送電鉄塔は、地面に対して鉛直上向き方向よりも傾いて設置されている塔柱の長手方向に関する所定範囲に、当該塔柱の上方部分および側方部分に蛇昇塔防止シートを貼付することを特徴とする蛇昇塔防止シートの貼付方法である。
【００１２】
第６の発明は、円柱形状の塔柱に対する蛇昇塔防止シートの貼付方法である。本発明に係る塔柱は、塔柱の母線上には複数の昇降金具が等間隔に取り付けられており、直近するいずれか２つの昇降金具を結ぶ線分の両側に、蛇昇塔防止シートを貼付することを特徴とする蛇昇塔防止シートの貼付方法である。
【００１３】
第７の発明は、第６の発明により蛇昇塔防止シートを貼付すると共に、第６の発明の所定範囲内において、塔柱の中心軸に対して第６の発明で蛇昇塔防止シートを貼付した部分の裏面にも蛇昇塔防止シートを貼付することを特徴とする蛇昇塔防止シートの貼付方法である。
【００１４】
第８の発明は、蛇昇塔防止シートの接着面には、複数に分割された離型紙が接着されており、複数の離型紙のうちの一部を剥離する工程と、剥離することによって露出した接着面を塔柱に接着する工程とを繰り返すことによって蛇昇塔防止シートを貼付することを特徴とする蛇昇塔防止シートの貼付方法である。
【発明の効果】
【００１５】
本発明によれば、従来の蛇の送電鉄塔および電柱の登はん防止技術のように、送電鉄塔および電柱から突出する器具等を使用しないため、送電鉄塔または電柱を登はんして作業を行うの作業員の作業効率を低下させることがない。また、本発明で使用する蛇昇塔防止シートは、表面部を特殊加工することにより、蛇の腹側の鱗（腹板）が滑るようになるが、人の手に対しては滑りは生じない。そのため、本発明の実施が原因となる作業員の転落事故が発生するという危険性もない。さらに、送電鉄塔および電柱から突出する器具等を使用しないため、従来のように、突出部が強風によって損傷したり、外れてしまったりする可能性がなく、長期にわたって安定した蛇登はん防止効果を発揮でき、地絡防止対策を施すことが可能となる。
【００１６】
本発明は、蛇昇塔防止シートを蛇の登はん防止に必要な場所に効率良く設置するため、不必要部分に係る蛇昇塔防止シートのコストを削減し、さらに設置作業の軽減化を図ることができる。なぜならば、蛇昇塔防止シートを送電鉄塔構造材の周囲または電柱の円周の全面に亘り設置すると、非常に大きな面積の蛇昇塔防止シートが必要となりコストが高くなる。また、非常に大きな面積の蛇昇塔防止シートを送電鉄塔構造材または電柱全面に貼付する場合には、蛇昇塔防止シートの離型紙を剥離した時点から、蛇昇塔防止シートの接着面同士が接着しやすくなり、取扱いが非常に困難となる。そのうえ、蛇昇塔防止シートの貼付面積が広くなるにつれ、設置の際に蛇昇塔防止シートと送電鉄塔構造材または電柱との間に空気が混入しないように貼付することが難しくなる。空気が混入すると、気泡部を形成することとなり、蛇昇塔防止シートの効果を半減させてしまう。蛇は、この気泡部に腹側の鱗（腹板）を係合させることが可能となり、蛇昇塔防止シートを登はんしてしまう。さらに、気温の変化により、気泡部が膨張と収縮を繰り返すこととなり、蛇昇塔防止シートを劣化させ、破損する可能性をも有する。以上のような設置作業の困難性及び諸問題を本発明により解決することが可能となる。
【００１７】
また、上記の効果に加え、本発明は、蛇昇塔防止シートを用いて蛇の送電鉄塔および電柱への登はんを防止するため、送電鉄塔または電柱の美観においても、蛇昇塔防止シート設置前の状態とは、外観上さほどの変化はない。そのため、送電鉄塔および電柱の美観を損ねることなく蛇の送電鉄塔への登はん防止が実現できるものである。
【発明を実施するための最良の形態】
【００１８】
以下、図面を参照して、本発明の第１の実施形態に係る蛇昇塔防止シートのトライアングル工法について説明する。以下では、まず、図１から図５を参照して、蛇が送電鉄塔を昇塔する運動について説明した後、トライアングル工法の詳細について説明する。
【００１９】
まず、蛇が昇塔する対象となる送電鉄塔（以下、単に鉄塔と呼ぶ）の一般的な構成について説明する。電柱の構成については、後述する。図１は、鉄塔の構成の一例を示す図である。鉄塔は、主塔柱１と補助塔柱２とを有している。主塔柱１は、下部架台３を介して地面に接続される。なお、図１では１組の下部架台３および主塔柱１のみを記載しているが、鉄塔は４組の下部架台および主塔柱を有する。鉄塔は、４本の主塔柱の上端部が互いに接合されることによって全体として四角推状の外形となっている。この四角錐の頂上部に送電線が接合される。また、主塔柱の結合力および主塔柱の強度を増すために、主塔柱を連結するように補助塔柱２が接続される。主塔柱１および補助塔柱２は、断面がＬ字型の鉄柱であり、具体的には、長方形鋼板を、長手方向に平行な中心線で約９０度に折曲することによって得られる等辺山型鋼（いわゆるアングル）である。なお、補助塔柱２は、主塔柱１よりも小型となっている。以下では、アングル（主塔柱１または補助塔柱２）の短手方向（幅方向）の両端部を「エッジ部」と呼び、アングルの折曲部分を「折曲部」と呼ぶ。
【００２０】
次に、上述のような鉄塔を蛇が昇塔する場合の昇塔運動について説明する。本出願の発明者による研究の結果、蛇は、アングルに身体を巻きつけながら昇塔するのではなく、鉄塔のアングルを蛇行しながら昇塔することが発見された。当該研究によると、蛇が鉄塔のアングルを昇塔する運動パターンは、図２から図５に示す４つのパターンであることが判明した。以下、図２から図５を参照して、鉄塔への蛇の昇塔運動の詳細について説明する。なお、電柱への登はん運動の詳細は後述する。
【００２１】
図２は、第１の昇塔運動パターンを示す図である。鉄塔の主塔柱１への第１の昇塔運動パターンは、主塔柱１のエッジ部４を挟んで昇塔するパターンである。すなわち、図１に示すように、蛇は、エッジ部を身体で挟むことによって自分自身を主塔柱１に支持させ、落下しないようにしながら鉄塔を昇塔する。地表から鉄塔に昇塔し始める際、蛇は、地表から主塔柱１に沿って頭部を上方へ伸ばし、ある程度まで伸ばすと、エッジ部４付近において主塔柱１の両面から身体を押し付けることによってエッジ部４を挟む。このように挟み込まれた部分が、第１の支持箇所となる。なお、蛇は、エッジ部４を挟み込む際、自身の腹筋により主塔柱１を押圧する力だけでなく、腹側にある鱗（腹板）を主塔柱１の塗装表面の凹凸に引っ掛けることによって、身体を支持している。第１の支持箇所が形成されると、蛇は、第１の支持箇所よりも尾側の身体を上方に引き寄せ、尾側の身体をある程度引き寄せると、第１の支持箇所よりも下方のエッジ部を当該尾側の身体で挟む。このように挟み込まれた部分が、第２の支持箇所となる。蛇の身体は、上記第１および第２の支持箇所によって主塔柱１に固定される。以後、蛇は、第１の支持箇所を上方にずらす動作と、第２の支持箇所を上方に引き上げる動作とを繰り返し行うことによって、鉄塔を昇塔していく。
【００２２】
図３は、第２の昇塔運動パターンを示す図である。鉄塔の主塔柱１への第２の昇塔運動パターンは、主塔柱１の折曲部５を挟んで昇塔するパターンである。すなわち、図３に示すように、蛇は、折曲部５を身体で挟むことによって自分自身を主塔柱１に支持させ、落下しないようにしながら鉄塔を昇塔する。第２の昇塔運動パターンは、第１の昇塔運動パターンと比べて、折曲部５を挟みながら昇塔する点で異なるが、２カ所以上で主塔柱を挟んで支持箇所を上方に移動させることによって昇塔する点については同様である。
【００２３】
図４は、第３の昇塔運動パターンを示す図である。鉄塔の主塔柱１への第３の昇塔運動パターンは、主塔柱１の両エッジ部４および６を挟んで昇塔するパターンである。すなわち、図４に示すように蛇は、身体で主塔柱１の両端（エッジ部４および６）を挟み込むことによって自分自身を主塔柱１に支持させ、落下しないようにしながら鉄塔を昇塔する。第３の昇塔運動パターンは、第１の昇塔運動パターンと比べて、主塔柱１のエッジ部４および６を挟みながら昇塔する点で異なるが、２カ所以上で主塔柱を挟んで支持箇所を上方に移動させることによって昇塔する点については同様である。
【００２４】
図５は、第４の昇塔運動パターンを示す図である。鉄塔の主塔柱１への第四の昇塔運動パターンは、主塔柱１の一方のエッジ部と折曲部５とを挟んで昇塔するパターンである。すなわち、図５に示すように、蛇は、身体で主塔柱１の一方のエッジ部４と折曲部５とを挟み込むことによって自分自身を主塔柱１に支持させ、落下しないようにしながら鉄塔を昇塔する。第４の昇塔運動パターンは、第１の昇塔運動パターンと比べて、主塔柱一方端のエッジ部４と折曲部５とを挟みながら昇塔する点で異なるが、２カ所以上で主塔柱を挟んで支持箇所を上方に移動させることによって昇塔する点については同様である。
【００２５】
蛇は、上記の４つの昇塔運動パターンを組み合わせながら鉄塔を昇塔してゆく。
【００２６】
また、蛇は腹部に鱗（腹板）を有しており、昇塔の際、主塔柱１の塗装面の微細な凹凸に腹板を引っかけている。つまり、蛇は、上記第１〜第４の昇塔運動パターンのいずれの場合においても、自身の腹筋により主塔柱１を押圧する力だけでなく、腹側にある鱗（腹板）を主塔柱の塗装表面に引っかけることによって、身体を支持している。なお、電柱を登はんする場合においても同様である。
【００２７】
以上のように、研究の結果、図２〜図５に示した方法によって蛇は鉄塔を昇塔することがわかった。さらに、研究の結果、蛇の腹板は、直径が０．０５〜１［ｍｍ］程度の微細な球形状のものには係合しないことがわかった。以上の研究結果から、図６に示すような蛇昇塔防止シート７によって蛇の昇塔を防止することができる。以下、蛇昇塔防止シートの詳細について説明する。
【００２８】
図６は、蛇昇塔防止シートの断面図である。蛇昇塔防止シート７は、図６に示すように、複数の層が積層された構成であり、具体的には、離型紙８、感圧接着剤層９、合成樹脂ベースシート層１０、ビーズ定着層１１、表面薄膜層１４を備えている。なお、蛇昇塔防止シート７は、細長の長方形の面を有するシート状の形状である。
【００２９】
離型紙８は、シリコン、ワックス、フッ素樹脂などの離型剤で処理された紙或いはフィルム、若しくは、離型性を有するポリプロピレン、ポリエチレン等の合成樹脂フィルムの離型性シートが用いられる。
【００３０】
感圧接着剤層９は、離型紙８の上面に形成される。感圧接着剤層９は、アクリル樹脂等の接着剤により構成され、例えばポリブチルアクリレート、ポリ２−エチルへキシルアクリレートなどを主成分とするものである。感圧接着剤層９の厚さは、例えば１０〜５０［μｍ］の範囲である。
【００３１】
合成樹脂ベースシート層１０は、感圧接着剤層９の上面に形成される。合成樹脂ベースシート層１０は、可塑化塩化ビニール樹脂、ポリエステル樹脂、ポリウレタン樹脂等からなる。合成樹脂ベースシート層１０の厚さは、例えば３０〜１００［μｍ］の範囲である。
【００３２】
ビーズ定着層１１は、合成樹脂ベースシート層１０の上面に形成される。ビーズ定着層１１は、ビーズ接着塗料１２およびビーズ１３により構成される。ビーズ１３は、その一部がビーズ接着塗料１２の上面から突出するようにビーズ接着塗料１２に接着される。具体的には、ビーズ定着層１１は、合成樹脂ベースシート層１０にビーズ接着塗料１２を塗布（印刷や噴霧器による吹き付けを含む）した後、ビーズ接着塗料１２が乾燥しないうちに、ビーズ１３を散布することによって形成される。これによって、ビーズ接着塗料１２の上面にビーズ１３による半球状の突起を設けることができる。ビーズ接着塗料１２の材料は、合成樹脂ベースシート層１０に対して接着性を有していれば特定されない。例示すると、塩化ビニール樹脂系塗料、アクリルウレタン樹脂系塗料、ポリエステル樹脂系塗料などを用いることができる。ビーズ接着塗料１２に対するビーズ１３の量は、１０重量％以上が好ましく、ビーズ１３が塗膜上に密に均一な散布状態に保たれる範囲であることが好ましい。ビーズ１３は、好適には直径０．０５〜１［ｍｍ］のガラスビーズ、またはビーズ接着塗料１２中の溶剤に対して安定的なプラスティックビーズが用いられる。
【００３３】
表面薄膜層１４は、ビーズ定着層１１の上面に形成される。具体的には、表面薄膜層１４は、塩化ビニール樹脂系塗料、アクリルウレタン樹脂系塗料、またはポリエステル樹脂系塗料等の材料を、ビーズ定着層１１の上に薄く塗装することにより形成される。上記材料の塗布量は、８０〜１５０ｇ／ｍ2 の範囲であることが好ましく、厚く塗りすぎてビーズ１３からなる突起が平坦となってしまわないようにする。これによって、蛇昇塔防止シート７は、その上面（表面薄膜層１４）に半球状の突起が設けられた形状となる。
【００３４】
以上のように構成される蛇昇塔防止シートを塔柱または電柱に貼り付けることによって、蛇が鉄塔または電柱への登はんを防止することができる。図７は、蛇の腹板１５と蛇昇塔防止シート７との接触部分を模式的に示す図である。
【００３５】
図７に示すように、蛇は、主塔柱または電柱を身体で挟み込むために腹板１５を主塔柱または電柱に押しつける際に、腹板１５の先端部を蛇昇塔防止シート７に係合させようとする。しかし、半球状の突起を有する蛇昇塔防止シート７の表面には腹板１５の先端部はうまく係合しない。さらに、蛇昇塔防止シート７が半球状の突起を有することにより、蛇昇塔防止シート７と腹板との接触面積が小さくなるので、蛇昇塔防止シート７と腹板１５との摩擦力も低下する。以上により、蛇は、蛇昇塔防止シート７が貼付された部分を挟み込んでも、自身の身体を支持することができないので、主塔柱または電柱を登はんすることができなくなる。
【００３６】
以上のように、図６に示す蛇昇塔防止シート７を主塔柱または電柱に貼付すれば、蛇の登はんを防止できる。したがって、蛇昇塔防止シート７を塔柱全面または電柱の円周全面に亘って貼付することによって、蛇の昇塔を防止することも考えられる。しかし、蛇昇塔防止シート７を主塔柱または電柱の全面に亘り貼付すれば、非常に大きな面積の蛇昇塔防止シート７が必要となるので、コストが高くなる。また、蛇昇塔防止シート７を全面に貼付する場合には、貼付作業の作業量が多くなるだけでなく、蛇昇塔防止シート７と主塔柱または電柱との間に気泡が生じないように貼付することが難しくなり、貼付作業が困難になる。
【００３７】
以上の問題から、本実施形態では、主塔柱の適切な部分または電柱の適切な部分にのみ蛇昇塔防止シート７を貼付する。これによって、蛇昇塔防止シート７を必要な場所に効率良く貼付することができるとともに、貼付作業を簡易化することができる。以下、詳細を説明する。なお、電柱への貼付方法については後述する。
【００３８】
図８は、蛇昇塔防止シート７を貼付した主塔柱１を示す図である。また、図９は、蛇昇塔防止シート７を貼付した主塔柱１の断面図である。図８および図９に示されるように、本実施形態では、蛇昇塔防止シート７は、主塔柱１の各エッジ部４および６、ならびに、折曲部５に貼付される。なお、以下では、アングルのエッジ部４および６に貼付する蛇昇塔防止シートと、折曲部５に貼付する蛇昇塔防止シートとを区別して、前者をエッジ用蛇昇塔防止シート７ａとし、後者を折曲部用蛇昇塔防止シート７ｂとすることがある。また、両者を特に区別しない場合は、単に蛇昇塔防止シート７と記載する。
【００３９】
上述した図２から図５に示すように、蛇は、主塔柱１の各エッジ部４および６、ならびに、折曲部５を身体で挟んで昇塔していることが判明している。したがって、蛇の昇塔を防止するためには、主塔柱１の上記部分４〜６に蛇昇塔防止シート７を貼付すればよい。具体的には、各エッジ部４および６については、塔柱の幅方向に関してエッジ部を略中心として所定幅だけ蛇昇塔防止シート７を貼付する。つまり、エッジ部の両側の面に対して所定幅だけ蛇昇塔防止シート７を貼付する。一方、折曲部５については、蛇は折曲部の山側の面（以下、「山側折曲部」と呼ぶ。）を挟んで昇塔するので、当該山側の面に、折曲部の折り曲げ線を略中心として所定幅だけ蛇昇塔防止シート７を貼付する。
【００４０】
以下では、鉄柱の上記３カ所の部分に蛇昇塔防止シート７を貼付する工法を、「トライアングル工法」と呼ぶ。このトライアングル工法により、蛇昇塔防止シートを効率的に用いて蛇の昇塔を防止することができる。すなわち、不要な部分に蛇昇塔防止シート７を貼付しないので、必要となる蛇昇塔防止シート７のコストを下げることができるとともに、貼付面積を減らすことができるので、貼付作業が容易になるとともに貼付作業を簡易化することができる。なお、本実施形態では、主塔柱にのみ蛇昇塔防止シートを貼付するが、後述する第２の実施形態のように、補助塔柱にも蛇昇塔防止シートを貼付するようにしてもよい。
【００４１】
図８および図９において、蛇昇塔防止シート７の縦寸法（高さ方向の長さ）は、昇塔が想定される蛇の種類（大きさ）によって決められる。例えばアオダイショウが昇塔することを想定する場合には、上記縦寸法を１０００［ｍｍ］程度とすれば、大半のアオダイショウは２箇所以上でその身体をアングルに支持させることができず、昇塔することができなくなることが実験的に分かった。なお、アオダイショウの全長は、１０００〜２５００［ｍｍ］程度であり、最大では３０００［ｍｍ］にもなるが、平均的な全長は、１５００〜１８００［ｍｍ］である。したがって、昇塔が想定される蛇の全長の少なくとも半分以上の長さがあれば、昇塔を防止することができると考えられる。
【００４２】
また、アングルに貼付される蛇昇塔防止シート７の横寸法（幅方向の長さ）は、昇塔が想定される蛇の種類（大きさ）によって決められる。例えばアオダイショウが昇塔することを想定する場合には、横寸法を５０［ｍｍ］程度とすればよいことが実験的にわかった。つまり、エッジ部４および６に蛇昇塔防止シート７を貼付する場合には、主塔柱１の端部（エッジ部４または６）から主塔柱１の両側（両面）に２５［ｍｍ］の範囲に蛇昇塔防止シート７を貼付すればよい。また、山側折曲部５に蛇昇塔防止シート７を貼付する場合には、主塔柱１の山側折曲部５から主塔柱１の横方向両側に２５［ｍｍ］の範囲に蛇昇塔防止シート７を貼付すればよい。以上のように貼付することで、大半のアオダイショウは主塔柱１をその身体で挟み込むことができなくなることが分かった。なお、アオダイショウの胴囲直径の平均サイズが約５０［ｍｍ］であることから上述の横寸法が算出されており、蛇昇塔防止シート７の横寸法は、昇塔が想定される蛇の胴囲直径以上であることが好ましいと考えられる。
【００４３】
また、主塔柱１に貼付される蛇昇塔防止シート７は、下部架台３から蛇昇塔防止シート７の下端部までの距離が所定距離以上となる位置に貼付されることが好ましい。蛇が、下部架台３から頭部を伸ばし、蛇昇塔防止シート７が貼付された部分よりも上方で主塔柱１を身体で挟み込んで昇塔する可能性があるからである。したがって、上記所定距離は、昇塔が想定される蛇の種類（大きさ）によって決められる。例えば、上記と同様アオダイショウが昇塔することを想定した場合には、下部架台３から蛇昇塔防止シート７の下端部までの距離を１０００［ｍｍ］以上とすることによって、昇塔を防止することができることが実験的にわかった。なお、主塔柱１の上記部分４〜６に貼付される３組の蛇昇塔防止シート７は、主塔柱１の長手方向に関して同じ範囲に貼付されることが好ましい。ほぼ同じ範囲に貼付することにより、図１から図４に示す蛇の昇塔運動パターンのいかなる組み合わせに対しても、アングルへの昇塔を防止できることとなる。
【００４４】
なお、蛇昇塔防止シート７は、上記トライアングル工法によって鉄塔のすべての主塔柱に対して貼付されることが好ましい。また、１本の主塔柱にトライアングル工法を施す箇所は１カ所でなくてもよく、１本の主塔柱に対して複数箇所にトライアングル工法によって蛇昇塔防止シート７を貼付してもよい。例えば、地上からの昇塔を防止するために、鉄塔の下部架台３から所定距離程度の位置にトライアングル工法により蛇昇塔防止シート７を貼付するとともに、鉄塔に隣接する樹木または構造物からの昇塔を防止するために、隣接部（または隣接部よりも上方の位置）にトライアングル工法により蛇昇塔防止シート７を貼付するようにしてもよい。つまり、蛇が昇塔するルートが複数存在する場合には、全てのルートによる昇塔を防止するように蛇昇塔防止シート７を貼付することが好ましい。
【００４５】
次に、トライアングル工法における蛇昇塔防止シートの貼付方法の詳細について説明する。本実施形態では、蛇昇塔防止シート７に仮止め機能を付加することによって、蛇昇塔防止シート７と主塔柱１との間の空気混入を防ぎ、さらに蛇昇塔防止シート７の貼付する際の位置決め作業の容易化および貼付作業の効率化を図る。以下、図１０〜図１３を参照して詳細を説明する。
【００４６】
図１０は、主塔柱１のエッジ部４および６に貼付する蛇昇塔防止シートの裏面（離型紙の面）を示す図であり、図１１は、アングル主塔柱１の山側折曲部５に貼付する蛇昇塔防止シートの裏面を示す図である。
【００４７】
図１０に示すように、エッジ用蛇昇塔防止シート７ａの離型紙は、長手方向に３分割されている。ここでは、中央の離型紙を中央部とし、その両側の離型紙を両端部とする。中央部の離型紙１７の横寸法は、アングル鋼板の厚みと等しくなるように決められ、図１０では例えば１０［ｍｍ］である。両端部の離型紙１６および１８の横寸法は同じであり、図１０では例えば２０［ｍｍ］である。上述したように、エッジ用蛇昇塔防止シート７ａ全体の横寸法は、昇塔が想定される蛇の種類（大きさ）によって決められる。
【００４８】
図１１に示すように、折曲部用蛇昇塔防止シート７ｂの離型紙は、長手方向に２等分に分割されている。つまり、離型紙１９と離型紙２０の横寸法は同じであり、図１１では、それぞれ２５[ｍｍ]である。エッジ用蛇昇塔防止シート７ａと同様、折曲部用蛇昇塔防止シート７ｂ全体の横寸法は、昇塔が想定される蛇の種類（大きさ）によって決められる。
【００４９】
なお、エッジ用蛇昇塔防止シート７ａおよび折曲部用蛇昇塔防止シート７ｂの縦寸法は、共に１０００［ｍｍ］である。なお、図１０および図１１には、詳細寸法が提示されているが、これに限られるものではない。上述したように、アングル鋼板の大きさおよび昇塔が想定される蛇の大きさによって適宜調整されるものである。
【００５０】
図１２は、エッジ用蛇昇塔防止シート７ａの貼付方法を示す図である。図１２に示すように、エッジ用蛇昇塔防止シート７ａの貼付方法の第１工程では、中央部の離型紙１７をエッジ用蛇昇塔防止シート７ａから剥離し、剥離することによって露出した接着面（感圧接着剤層９）を主塔柱１のエッジ部６の厚み面に貼付する。第１の工程によって、主塔柱１に対するエッジ用蛇昇塔防止シート７ａの位置決め（仮止め）が完了する。第２工程では、離型紙１６または離型紙１８のいずれかをエッジ用蛇昇塔防止７ａシートから剥離する。そして、離型紙を剥離することによって露出した接着面を主塔柱１の表面に沿って貼付する。第３工程では、離型紙１６または離型紙１８の他方をエッジ用蛇昇塔防止シート７ａから剥離する。そして、離型紙を剥離することによって露出した接着面を主塔柱の表面に沿って貼付する。以上により、エッジ用蛇昇塔防止シート７ａの貼付が完了する。
【００５１】
図１３は、折曲部用蛇昇塔防止シート７ｂの貼付方法を示す図である。図１３に示すように、折曲部用蛇昇塔防止シート７ｂの貼付方法の第１工程では、離型紙１９または離型紙２０のいずれかを折曲部用蛇昇塔防止シート７ｂから剥離する。そして、離型紙を剥離することによって露出した接着面を主塔柱１の表面に貼付する。このとき、折曲部用蛇昇塔防止シート７ｂの長手方向に伸びる中心線が、主塔柱１の山側の折り曲げ線上に位置するように折曲部用蛇昇塔防止シート７ｂを貼付する。この第１工程によって、主塔柱１に対する折曲部用蛇昇塔防止シート７ｂの位置決めが完了する。第２工程では、他方の離型紙を剥離し、剥離することによって露出した接着面を主塔柱１の表面部に沿って貼付する。以上により、折曲部用蛇昇塔防止シート７ｂの貼付が完了する。
【００５２】
図１４は、第２の実施形態におけるトライアングル工法を説明するための図である。第２の実施形態では、図１４に示すように、鉄塔の主塔柱１および補助塔柱２の両方に蛇昇塔防止シートを貼付する。なお、第２の実施形態では、補助塔柱２の山側折曲部２２が上向きとなるように（上方から見て山折りとなるように）主塔柱１に接続されている鉄塔を想定する。
【００５３】
第２の実施形態において各塔柱１および２に貼付される蛇昇塔防止シート７は、第１の実施形態と同じものが使用される。また、山側折曲部２２が上向きとなるように補助塔柱２が主塔柱１に接続されている場合には、蛇が補助塔柱２を昇塔する場合の運動パターンは、主塔柱１を昇塔する場合と同様である。したがって、補助塔柱２に関しても主塔柱１と同様、上述のトライアングル工法によって蛇昇塔防止シートが貼付される。つまり、補助塔柱２のエッジ部２１および２３ならびに山側折曲部２２の３カ所に蛇昇塔防止シートが貼付される。なお、第２の実施形態において、蛇昇塔防止シート７の貼付方法は、第１の実施形態と同じである。
【００５４】
また、蛇昇塔防止シートの横寸法および縦寸法は、第１の実施形態と同様、昇塔が想定される蛇の種類（大きさ）によって決められる。ここで、主塔柱１に対して貼付する蛇昇塔防止シートと補助塔柱２に対して貼付する蛇昇塔防止シートとを同じサイズにする場合、補助塔柱２は主塔柱１よりもサイズが小さいので、蛇昇塔防止シートが貼付されていない部分の面積は、補助塔柱２の方が主塔柱１よりも小さくなる。そのため、上記の場合には、蛇にとっては補助塔柱２の方が主塔柱１よりも昇塔が困難になる。
【００５５】
また、補助塔柱２に貼付される場合、蛇昇塔防止シートは、主塔柱１と補助塔柱２との接続部（補助塔柱２の端部）から蛇昇塔防止シート７の下端部までの距離が所定距離以上となる位置に貼付されることが好ましい。蛇が、上記連結部から頭部を伸ばし、補助塔柱２に貼付された蛇昇塔防止シート７よりも上方で補助塔柱２を身体で挟み込んで昇塔する可能性があるからである。上記所定距離は、第１の実施形態と同様、昇塔が想定される蛇の種類（大きさ）によって決められる。例えばアオダイショウの場合であれば、連結部から蛇昇塔防止シート７の下端部までの距離を１０００［ｍｍ］以上とすることによって、蛇の昇塔を防止できる。
【００５６】
また、鉄塔の全ての補助塔柱に蛇昇塔防止シートを貼付しなくてもなく、必要な箇所にのみ蛇昇塔防止シートを貼付してもよい。蛇昇塔防止シートは、蛇の昇塔ルートとなる補助塔柱に貼付されればよい。例えば、図１４に示すように、主塔柱１に対して蛇昇塔防止シートが貼付されている場所と下部架台３との間で補助塔柱２が接続されている場合、この補助塔柱２には蛇昇塔防止シートを貼付することが効果的である。また、例えば、主塔柱１に貼付された蛇昇塔防止シートよりも上方の場所で補助塔柱２が接続されている場合であっても、当該補助塔柱２に蛇昇塔防止シートを貼付することも有効である。なぜなら、総体的に蛇は、傾斜が急な主塔柱１のみを伝って鉄塔を昇塔することは難しく、本能的に、傾斜が緩やかな補助塔柱２を昇塔しようとするからである。主塔柱１に貼付された蛇昇塔防止シートよりも上方の場所で接続される補助塔柱２に蛇昇塔防止シートを貼付しておけば、万一、主塔柱１に貼付された蛇昇塔防止シートを蛇が超越したとしても、補助塔柱２において蛇の昇塔を防止することができる。
【００５７】
なお、上記第２の実施形態では、主塔柱１および補助塔柱２の両方に蛇昇塔防止シートを貼付するようにしたが、補助塔柱２のみに蛇昇塔防止シートを貼付してもよい。この場合でも、蛇の昇塔を防止することが可能である。
【００５８】
図１５は、第３の実施形態におけるトライアングル工法を説明するための図である。第３の実施形態では、図１５に示すように、鉄塔の主塔柱１および補助塔柱２の両方に蛇昇塔防止シートを貼付する。なお、第３の実施形態が第２の実施形態と異なる点は、山側折曲部２２が下向きとなるように（上方から見て谷折りとなるように）補助塔柱２が主塔柱１に接続されている点である。鉄塔に降った雨水を排水するために補助塔柱２に雨受け（雨とい）機能を持たせることを目的として、図１５に示すような構成が採用されることがある。
【００５９】
図１６は、第３の実施形態において蛇が補助塔柱２を昇塔する様子を示す図である。なお、図１６は、上から鉄塔の一部を見た図である。第３の実施形態においては、図１６に示すように、蛇は、断面Ｌ字型のアングルである補助塔柱２の各面のうちで、上方向を向く内側の面上を昇塔する可能性がある。すなわち、蛇は、補助塔柱２のエッジ部２１を挟むとともに、補助塔柱２の折曲部の谷側の面（以下、「谷側折曲部」と呼ぶ。）２４に身体を押しつけて、身体を支持する。
【００６０】
そこで、第３の実施形態では、トライアングル工法として、図１７に示すように蛇昇塔防止シート７を貼付する。図１７は、第３の実施形態におけるトライアングル工法によって蛇昇塔防止シートを貼付した補助塔柱２の断面図である。図１７に示すように、補助塔柱２のエッジ部２１および２３の２カ所にエッジ用蛇昇塔防止シート７ａを貼付するとともに、谷側折曲部２４に裏面用蛇昇塔防止シート７ｃを貼付する。なお、第３の実施形態では、蛇が山側折曲部を使って昇塔することはあり得ないので、山側折曲部に蛇昇塔防止シートを貼付する必要はない。また、第３の実施形態において、蛇昇塔防止シート７の貼付位置および寸法は、第２の実施形態と同じである。
【００６１】
また、裏面用蛇昇塔防止シート７ｃは、折曲部用蛇昇塔防止シート７ｂと同様の方法で補助塔柱２に貼付することができる。すなわち、裏面用蛇昇塔防止シート７ｃの離型紙は、図１１と同様、長手方向に２等分に分割されている。貼付する際の第１工程では、２つに分割されている離型紙のいずれか一方を裏面用蛇昇塔防止シート７ｃから剥離する。そして、離型紙を剥離することによって露出した接着面を補助塔柱２の谷側折曲部２４に貼付する。このとき、裏面用蛇昇塔防止シート７ｃの長手方向に伸びる中心線が、折曲部の谷側の面の折り曲げ線に位置するように裏面用蛇昇塔防止シート７ｃを貼付する。この第１工程によって、補助塔柱２に対する裏面用蛇昇塔防止シート７ｃの位置決めが完了する。第２工程では、他方の離型紙を剥離し、剥離することによって露出した接着面を補助塔柱の他方裏面に沿って貼付する。以上により、裏面用蛇昇塔防止シート７ｃの貼付が完了する。
【００６２】
図１８は、第４の実施形態におけるトライアングル工法を説明するための図である。第４の実施形態では、図１８に示すように、鉄塔の主塔柱２５および補助塔柱２６は円柱形状である。第４の実施形態では、円柱形状の塔柱で構成される鉄塔に対してトライアングル工法を適用する。
【００６３】
蛇は、円柱状の塔柱であっても、塔柱の中心軸が重力方向に対してある程度傾いていれば、昇塔することが可能である。具体的には、蛇は、断面が円形の塔柱の上側部分を身体で挟んで昇塔することがわかった。
【００６４】
したがって、円柱状の塔柱への蛇の昇塔を防止するためには、図１９に示すように蛇昇塔防止シート７を貼付すればよい。図１９は、第４の実施形態におけるトライアングル工法によって蛇昇塔防止シート７を貼付した主塔柱２５の断面図である。図１９に示すように、円柱状の主塔柱２５に対してトライアングル工法が適用される場合、蛇昇塔防止シート７は、主塔柱２５の上方部分２７および側方部分２８および２９の３カ所に貼付される。上方部分２７は、具体的には、主塔柱２５の中心軸と重力方向とを含む面Ｓ１が主塔柱２５の側面に交わる部分のうち、上側の部分である。また、側方部分２８および２９は、中心軸を含みかつ上記面Ｓ１に垂直な面Ｓ２が主塔柱２５の側面に交わる２カ所部分である。蛇昇塔防止シート７は、少なくとも上方部分２７および側方部分２８および２９を含む３カ所に貼付される。これによって、蛇は、主塔柱２５を挟み込むことができず、主塔柱２５に身体を支持することができなくなるので、蛇の昇塔を防止することができる。
【００６５】
なお、蛇は主塔柱２５の上側部分を使って昇塔する。したがって、側方部分２８および２９に貼付される蛇昇塔防止シート７は、図１９に示すように、側方部分２８および２９ではなく、側方部分２８および２９からやや上側にずれた位置を中心とするように貼付されることが好ましい。
【００６６】
なお、図１９では、主塔柱２５に蛇昇塔防止シート７を貼付する場合を示したが、補助塔柱２６に蛇昇塔防止シート７を貼付する場合も同様である。また、上述した第１および第２の実施形態と同様、想定される蛇の昇塔ルートに合わせて、主塔柱２５および補助塔柱２６のいずれか一方にのみ蛇昇塔防止シートを貼付するようにしてもよい。
【００６７】
また、断面Ｌ字型の塔柱のエッジ部および折曲部に代えて、断面円形の塔柱の上方部分および側方部分に蛇昇塔防止シートを貼付する点以外の点（蛇昇塔防止シート７の寸法、蛇昇塔防止シート７を貼付する高さ方向に関する位置等）は、第１から第３の実施形態と同じである。
【００６８】
第５の実施形態は、電柱における蛇昇塔防止シートの設置方法である。
【００６９】
図２０を参照しながら、第５の実施形態における蛇が登はんする対象となる電柱の構成について説明する。電柱３０は、一般的に直径約３００[ｍｍ]の円柱形状の構造体で、地面に対して略垂直に設置されている。電柱３０の頂上付近には、碍子を介在させて送電線が接続されている。電気工事等の作業員は、送電線の修理や点検等のために電柱３０を登はんする必要がある。そのため、電柱３０には、母線３３上に複数の昇降金具３１が等間隔で取り付けられ、電柱中心軸に対して当該母線３３の反対側の母線上３４にも複数の昇降金具３２が等間隔で取り付けられている。昇降金具３１及び３２は、棒状であり、電柱３０から垂直に突出している。母線上３３の昇降金具３１は、約９００[ｍｍ]間隔で設置され、反対側の昇降金具３２も同様の間隔で設置されている。一方の母線３３の昇降金具３１と他方の母線３４の昇降金具３２とは、段違いに配置されている。一方の母線３３の昇降金具３１と他方の母線３４の昇降金具３２との高さ方向に関する間隔は、約４５０[ｍｍ]である。昇降金具は、電柱３０に設けられた篏挿穴に篏挿させることによって電柱３０に固定され、脱着可能となっている。
【００７０】
次に、蛇が電柱を登はんする場合の運動について説明する。本出願発明者による研究の結果、蛇は、鉄塔と同様に電柱においても、身体を巻きつけながら登はんするのではなく、昇降金具に身体を固定させながら蛇行して登はんすることが発見された。当該研究によると、蛇が電柱を登はんする運動パターンは、図２０から図２１に示す２つのパターンであることが判明した。以下、図２０から図２１を参照して、電柱への蛇の登はん運動の詳細について説明する。
【００７１】
図２０は、電柱３０への第１の登はん運動パターンを示す図である。第１の登はん運動パターンでは、地面から昇降金具３１に辿り着いた蛇は、昇降金具３１に身体を引っ掛け、身体を固定させ、斜め上方の昇降金具３２へ頭部を伸ばす。次の昇降金具３２に頭部が到達すれば、その昇降金具３２に頭部側の身体を引っ掛け固定し、下方側の身体を引き上げる。以後、当運動を繰り返すことにより、蛇は電柱を登はんしていく。
【００７２】
図２１は、電柱３０への第２の登はん運動パターンを示す図である。電柱３０への第２の登はん運動は、いずれか一方の母線上の昇降金具を伝って登はんするパターンである。地面から昇降金具３１に辿り着いた蛇は、昇降金具３１に身体を引っ掛け、身体を固定させて、真上方向の昇降金具３１に頭部を伸ばす。真上方向の昇降金具３１までの距離は、約９００[ｍｍ]あるため、平均サイズの蛇の身体半分程度は、電柱３０に固定されていない状態となる。そのため、蛇は、直線的に頭部を伸ばして真上方向の昇降金具３１に到達させることができない。したがって、蛇は、蛇行しながら腹板を電柱表面の微細な凹凸部に引っ掛け、折れ曲がっている身体を徐々に伸ばしてゆく。頭部が、次の昇降金具３１に到達すれば、昇降金具３１に身体を引っ掛け、身体を固定させて、下方側の身体を引き上げる。以後、当該運動を繰り返すことにより、蛇は電柱を登はんしていく。
【００７３】
蛇は、上記の２つの登はん運動パターンを組み合わせながら電柱を登はんしてゆく。
【００７４】
以上のように、蛇の電柱への登はん運動パターンが特定できたことから、電柱の適切な部分にのみ蛇昇塔防止シート７を貼付することによって、蛇の登はんを防止でき、そのうえ、貼付作業の簡易化および効率化が実現できる。以下、その詳細を説明する。
【００７５】
電柱３０への蛇の登はんを防止するためには、まず、蛇昇塔防止シート７を貼付する所定範囲内において、いずれか一方の母線上の昇降金具を少なくとも１本外す。昇降金具を外した所定範囲においては、第１の登はん運動パターンによる蛇の登はんを防止することができる。
【００７６】
さらに、図２２に示すように、直近する２つの昇降金具３１を結ぶ線分Ｌの両側に、蛇昇塔防止シート７をそれぞれ貼付する。なお、直近する２つの昇降金具は、昇降金具が外された母線とは異なる母線上に取り付けられた昇降金具である。また、当該２つの昇降金具のうちの一方は、昇降金具が外された位置の斜め上方に取り付けられた昇降金具であり、他方は当該位置の斜め下方に取り付けられた昇降金具である。
【００７７】
蛇昇塔防止シート７の貼付位置は、昇塔防止シート７が線分Ｌの方向に関して線分Ｌ以上の長さを有するように昇塔防止シート７が貼付されることが好ましい。つまり、電柱３０の長手方向に関して、昇塔防止シート７は、上記２つの昇降金具３１を含む範囲に貼付される。例えば、２つの昇降金具３１の設置間隔が９００［ｍｍ］であるとすれば、長さが９００［ｍｍ］以上である蛇昇塔防止シートを用いればよい。すなわち、蛇昇塔防止シート７の縦寸法は、直近する昇降金具の設置間隔に応じて適時変更される。また、図２２では、昇塔防止シート７は昇降金具３１に接するように貼付されているが、昇塔防止シート７と昇降金具３１とは必ずしも接していなくてもよい。なお、図２２では、線分Ｌ上には蛇昇塔防止シート７が貼付されないこととなるが、蛇は直線的に頭部を伸ばさないので貼付しなくても構わない。
【００７８】
また、蛇昇塔防止シート７の横寸法は、長い（幅が広い）方が好ましいが、アオダイショウが昇塔することを想定する場合には、上記第１〜第４の実施形態と同様、５０［ｍｍ］程度でよい。なお、上述した第２の登はん運動パターンを考慮すれば、蛇昇塔防止シート７の横寸法は、電柱の周の１／４の長さよりも長くする必要はない。
【００７９】
また、上記第１の実施形態と同様、地面から蛇昇塔防止シート７の下端部までの距離は、登はんが予想される蛇の体長によって決められる所定距離以上となることが好ましい。また、第５の実施形態においては、人の背丈程度の高さに蛇昇塔防止シート７を貼付した場合には、人の所有物（例えば、傘等）や車などが蛇昇塔防止シート７と接触することによって蛇昇塔防止シート７が剥離したり破損したりするおそれがある。したがって、蛇昇塔防止シート７の下端が地上から２０００［ｍｍ］以上の高さとなる位置に貼付することがより好ましい。
【００８０】
なお、蛇昇塔防止シート７の離型紙は、上記第１〜第４の実施形態と同様、一部が剥離できるように分割されていることが好ましい。
【００８１】
なお、第５の実施形態において１本の電柱に対して複数箇所に蛇昇塔防止シート７を貼付してもよい。例えば、地上からの登はんを防止するために、地上から数メートルの位置に蛇昇塔防止シート７を貼付するとともに、電柱に隣接する樹木または構造物からの登はんを防止するために、樹木等が隣接する位置（または当該部分よりも上方の位置）に蛇昇塔防止シート７を貼付するようにしてもよい。つまり、蛇が登はんするルートが複数存在する場合には、全てのルートによる登はんを防止するように蛇昇塔防止シート７を貼付することが好ましい。
【００８２】
以上に説明した第５の実施形態によれば、上記第１および第２の登はん運動パターンによる蛇の登はんを防止することができる。
【００８３】
図２３は、第６の実施形態におけるトライアングル工法を説明するための図である。第６の実施形態では、第５の実施形態において説明した２カ所の位置に加え、第５の実施形態において昇降金具３２が外された位置に蛇昇塔防止シート７を貼付する。なお、第５の実施形態により蛇昇塔防止シート７が貼付されていても、蛇が電柱の側面を身体で挟み込んで登はんする場合には、登はんを完全には防止できないおそれがある。そこで、第６の実施形態では、昇降金具が外された方の母線上にも蛇昇塔防止シー７ｄを貼付することによって、蛇が電柱の側面を挟めなくして登はんをより確実に防止する。
【００８４】
図２３に示すように、第６の実施形態では、昇降金具が外された方の母線３４上に母線３４から両側に等しい幅で蛇昇塔防止シート７ｄが貼付される。なお、蛇昇塔防止シート７ｄは、第５の実施形態と同様に貼付される蛇昇塔防止シート７と同じ高さ、および、同じ長さとなるように貼付される。
【００８５】
また、蛇昇塔防止シート７ｄの横寸法は、長い（幅が広い）方が好ましいが、アオダイショウが昇塔することを想定する場合には、上記第１〜第５の実施形態と同様、５０［ｍｍ］程度でよい。なお、上述した第２の登はん運動パターンを考慮すれば、蛇昇塔防止シート７ｄの横寸法は、電柱の周の１／２の長さよりも長くする必要はない。
【００８６】
なお、第６の実施形態におけるトライアングル工法の電柱への貼付箇所及び貼付箇所数は、第５の実施形態と同様である。
【産業上の利用可能性】
【００８７】
本発明は、送電鉄塔および電柱への蛇の登はんを防止すること等を目的として、送電鉄塔および電柱に対する蛇昇塔防止シートを貼付するために利用することが可能である。
【図面の簡単な説明】
【００８８】
【図１】送電鉄塔の一般的な構成を表わす正面図
【図２】蛇がアングルの一方のエッジ部を支点にして鉄塔への昇塔運動を表わす斜視図
【図３】蛇がアングルの折曲部を支点にして鉄塔への昇塔運動を表わす斜視図
【図４】蛇がアングルの一方エッジ部と他方エッジ部を身体で挟み鉄塔への昇塔運動を表わす斜視図
【図５】蛇がアングルの折曲部と一方エッジ部を身体で挟み鉄塔への昇塔運動を表わす斜視図
【図６】蛇昇塔防止シート側部断面図
【図７】蛇の腹板が蛇昇塔防止シートには契合しない様子を表わす側面図
【図８】主塔柱への蛇昇塔防止シートの貼付位置を表わす正面図
【図９】主塔柱および山側が谷側に対して上になる補助塔柱への蛇昇塔防止シートの貼付位置を表わす断面図
【図１０】エッジ用蛇昇塔防止シート裏面の離型紙を表わす平面図
【図１１】折曲部用蛇昇塔防止シート裏面の離型紙を表わす平面図
【図１２】エッジ用蛇昇塔防止シートの貼付方法の実施を表わす斜視図
【図１３】折曲部用蛇昇塔防止シートの主塔柱および山側が谷側に対して上になる補助塔柱への貼付方法の実施を表わす斜視図
【図１４】主塔柱および山側が谷側に対して上になる補助塔柱への蛇昇塔防止シートの貼付位置を表わす正面図
【図１５】主塔柱および山側が谷側に対して下になる補助塔柱への蛇昇塔防止シートの貼付位置を表わす正面図
【図１６】蛇が山側が谷側に対して下になる補助塔柱を伝って鉄塔を昇塔する様子を表わす上面図
【図１７】山側が谷側に対して下になる補助塔柱への蛇昇塔防止シートの貼付位置を表わす断面図
【図１８】円柱形状の塔柱で構成された鉄塔の補助塔柱への蛇昇塔防止シートの貼付位置を表わす斜視図
【図１９】円柱形状の塔柱への蛇昇塔防止シートの貼付位置を表わす断面図
【図２０】蛇が電柱の第１母線並びに第２母線に設置されている昇降金具を交互に伝わりながら電柱への登はん運動を表わす正面図
【図２１】蛇が電柱の第１母線上の昇降金具を伝わりながら電柱への登はん運動を表わす正面図
【図２２】電柱の第１母線上の直上下の昇降金具間の両端に貼付される蛇昇塔防止シートの貼付位置を示す電柱正面図
【図２３】電柱の蛇昇塔防止シートの貼付位置を示す電柱断面図
【図２４】送電鉄塔の構造を表わす概略正面図
【図２５】蛇による送電システムの短絡を表わす概略正面図
【符号の説明】
【００８９】
１    主塔柱
２    補助塔柱
３    下部架台
４    主塔柱右エッジ
５    主塔柱山側折曲部
６    主塔柱左エッジ
７    蛇昇塔防止シート
７ａ  エッジ用蛇昇塔防止シート
７ｂ  折曲部用蛇昇塔防止シート
７ｃ  裏面用蛇昇塔防止シート
７ｄ  他方の母線用蛇昇塔防止シート
１６  エッジ用蛇昇塔防止シート左側離型紙
１７  エッジ用蛇昇塔防止シート中央部離型紙
１８  エッジ用蛇昇塔防止シート右側離型紙
１９  折曲部用蛇昇塔防止シート左側離型紙
２０  折曲部用蛇昇塔防止シート右側離型紙
２１  補助塔柱右エッジ部
２２  補助塔柱折曲部
２３  補助塔柱左エッジ部
２４  補助塔柱谷側折曲部
２５  円柱形状主塔柱
２６  円柱形状補助塔柱
２７  上方部分
２８  左側方部分
２９  右側方部分
３０  電柱
３１  一方の母線上の昇降金具
３２  他方の母線上の昇降金具
３３  一方の母線
３４  他方の母線
【図１】
2008154461.tif 000003
【図２】
2008154461.tif 000004
【図３】
2008154461.tif 000005
【図４】
2008154461.tif 000006
【図５】
2008154461.tif 000007
【図６】
2008154461.tif 000008
【図７】
2008154461.tif 000009
【図８】
2008154461.tif 000010
【図９】
2008154461.tif 000011
【図１０】
2008154461.tif 000012
【図１１】
2008154461.tif 000013
【図１２】
2008154461.tif 000014
【図１３】
2008154461.tif 000015
【図１４】
2008154461.tif 000016
【図１５】
2008154461.tif 000017
【図１６】
2008154461.tif 000018
【図１７】
2008154461.tif 000019
【図１８】
2008154461.tif 000020
【図１９】
2008154461.tif 000021
【図２０】
2008154461.tif 000022
【図２１】
2008154461.tif 000023
【図２２】
2008154461.tif 000024
【図２３】
2008154461.tif 000025
【図２４】
2008154461.tif 000026
【図２５】
2008154461.tif 000027